【手続補正書】
【提出日】平成16年5月27日(2004.5.27)
【手続補正１】
【補正対象書類名】明細書
【補正対象項目名】特許請求の範囲
【補正方法】変更
【補正の内容】
【特許請求の範囲】
【請求項１】
前方及びこれに隣接せる上方の部分で連通して開口せるハウジングの開口部もしくはその内方に端子の接触部が配設された端子を複数有し、各端子がハウジングの底部側に位置する下腕部とこれに対して上方に位置する上腕部とをそれぞれ前方に延びるようにして有し、上記下腕部の上縁に上記接触部が設けられ、該下腕部の上方位置にて開放位置と閉位置との間で回動自在な加圧部材が上記開口部に設けられ、該加圧部材の開放時に上記開口部内へ前方から挿入されるフレキシブル基板の回路面が上記下腕部の接触部の上に配置された後に加圧部材の閉位置への回動時に該加圧部材の加圧部により上記接触部へ圧せられる電気コネクタにおいて、複数の端子は、第一端子と第二端子の二種を有し、加圧部材はこれに対応して第一端子の上腕部と第二端子の上腕部にてそれぞれ回動案内される第一被案内部と第二被案内部とを備え、加圧部材が閉位置に向け回動されたときに上記第一被案内部が第一端子の上腕部の下縁と接し、上記第二被案内部が第二端子の上腕部の上縁と接することを特徴とするフレキシブル基板用電気コネクタ。
【請求項２】
第一端子の上腕部が可撓性を有し、加圧部材は、開放位置から閉位置への回動によって、第一被案内部が上記上腕部を上方に弾性撓み変形せしめるようになっていると共に上腕部からの反力により加圧部材が下方に可動となっていることとする請求項１に記載のフレキシブル基板用電気コネクタ。
【請求項３】
第二端子の上腕部が可撓性を有し、該上腕部は加圧部材の下方への移動により加圧部材の第二被案内部から下方への力を受けて弾性撓みを生じフレキシブル基板を圧するようになっていることとする請求項２に記載のフレキシブル基板用電気コネクタ。
【請求項４】
第二端子は、上腕部と下腕部とがそれぞれの基部側にて連結部により一体的につながっており、該連結部から抜止め用係止部が突出して設けられ、該係止部がハウジングの係止孔と遊びをもって係止し、上腕部の弾性撓み時に、下腕部も一部が弾性撓みできるようになっていることとする請求項３に記載のフレキシブル基板用電気コネクタ。
【請求項５】
第一端子と第二端子はそれぞれの下腕部に設けられた接触子の位置が、フレキシブル基板の挿抜方向に互いにずれていることとする請求項１に記載のフレキシブル基板用電気コネクタ。
【請求項６】
加圧部材の第一被案内部は、加圧部材の正規の閉位置における回動中心から第一腕部との接触点までの距離が、この正規の閉位置に対して回動方向前後における状態での対応せる距離よりも小さくなっていることとする請求項１に記載のフレキシブル基板用電気コネクタ。
【請求項７】
複数の端子は、第一端子と第二端子の二種を有し、加圧部材はこれに対応して第一端子の上腕部と第二端子の上腕部にてそれぞれ回動案内される第一被案内部と第二被案内部とを備え、加圧部材が開放位置に向け回動されたときに上記第一及び第二被案内部の少なくとも一方が、第一及び第二端子の上腕部を上方に弾性撓みするように圧し、該上腕部と対応下腕部との最狭間隔を拡げるように上腕部を弾性撓み変形させるようになっていることとする請求項１に記載のフレキシブル基板用電気コネクタ。
【請求項８】
前方及びこれに隣接せる上方の部分で連通して開口せるハウジングの開口部もしくはその内方に端子の接触部が配設された端子を複数有し、各端子がハウジングの底部側に位置する下腕部とこれに対して上方に位置する上腕部とをそれぞれ前方に延びるようにして有し、上記上腕部と下腕部の少なくとも一方の縁に上記接触部が設けられ、該下腕部の上方位置にて開放位置と閉位置との間で回動自在な加圧部材が上記開口部に設けられ、該加圧部材の開放時に上記開口部内へ前方から挿入されるフレキシブル基板の回路面が上記下腕部の接触部の上に配置された後に加圧部材の閉位置への回動時に該加圧部材の加圧部により上記接触部へ圧せられる電気コネクタにおいて、端子は、上腕部と下腕部とがそれぞれの基部側にて連結部により一体的につながっており、該連結部から抜止め用係止部が突出して設けられ、該係止部がハウジングの係止孔と遊びをもって係止し、上腕部の弾性撓み時に、下腕部も一部が弾性撓みできるようになっており、上記連結部に対して逆方向に位置する下腕部の自由端側にて該端子がハウジングに対して固定されるようになっていることを特徴とするフレキシブル基板用電気コネクタ。
【請求項９】
前方及びこれに隣接せる上方の部分で連通して開口せるハウジングの開口部もしくはその内方に端子の接触部が配設された端子を複数有し、各端子がハウジングの底部側に位置する下腕部とこれに対して上方に位置する上腕部とをそれぞれ前方に延びるようにして有し、上記上腕部と下腕部の少なくとも一方の縁に上記接触部が設けられ、該下腕部の上方位置にて開放位置と閉位置との間で回動自在な加圧部材が上記開口部に設けられ、該加圧部材の開放時に上記開口部内へ前方から挿入されるフレキシブル基板の回路面が上記接触部に対向配置された後に加圧部材の閉位置への回動時に該加圧部材の加圧部により上記接触部へ圧せられる電気コネクタにおいて、加圧部材は端子の上腕部にて回動案内される被案内部を備え、該被案内部は、加圧部材が閉位置に向け回動されたときに上記端子の上腕部の下縁と接する第一被案内部と、上記端子の上腕部の上縁と接する第二被案内部とを有することを特徴とするフレキシブル基板用電気コネクタ。
【請求項１０】
前方及びこれに隣接せる上方の部分で連通して開口せるハウジングの開口部もしくはその内方に端子の接触部が配設された端子を複数有し、各端子がハウジングの底部側に位置する下腕部とこれに対して上方に位置する上腕部とをそれぞれ前方に延びるようにして有し、上記上腕部と下腕部の少なくとも一方の縁に上記接触部が設けられ、該下腕部の上方位置にて開放位置と閉位置との間で回動自在な加圧部材が上記開口部に設けられ、該加圧部材の開放時に上記開口部内へ前方から挿入されるフレキシブル基板の回路面が上記接触部に対向配置された後に加圧部材の閉位置への回動時に該加圧部材の加圧部により上記接触部へ圧せられる電気コネクタにおいて、加圧部材は端子の上腕部にて回動案内される被案内部を備え、該被案内部は、加圧部材の開放時に上記端子の上腕部の内縁と接して案内されるように形成され、上記開放時における上腕部と対応下腕部との間隔を、加圧部材の閉位置におけるフレキシブル基板未挿入時の間隔よりも大とするように上腕部を弾性撓み変形させるようになっていることを特徴とするフレキシブル基板用電気コネクタ。
【請求項１１】
上腕部を弾性撓みさせる手段は、加圧部材とハウジングの間で形成されたカム手段であることとする請求項１０に記載のフレキシブル基板用電気コネクタ。
【請求項１２】
ハウジングの開口部もしくはその内方に端子の接触部が配設された端子を複数有し、各端子がハウジングの底部側に位置する下腕部とこれに対して上方に位置する上腕部とをそれぞれ前方に延びるようにして有し、上記上腕部と下腕部の少なくとも一方の縁に上記接触部が設けられ、該下腕部の上方位置にて開放位置と閉位置との間で回動自在な加圧部材が上記開口部に設けられ、該加圧部材の開放時に上記開口部内へ前方から挿入されるフレキシブル基板の回路面が上記接触部に対向配置された後に加圧部材の閉位置への回動時に該加圧部材の加圧部により上記接触部へ圧せられる電気コネクタにおいて、加圧部材は端子の上腕部にて回動案内される被案内部を備え、該被案内部は、加圧部材の開放時に上記端子の上腕部の内縁と接して案内されるように形成され、加圧部材は、上記被案内部の領域外にカム部を有し、該カム部のカム半径が最大位置或いは最大位置を経過して加圧部材が開放位置に位置していることを特徴とするフレキシブル基板用電気コネクタ。
【手続補正２】
【補正対象書類名】明細書
【補正対象項目名】００２８
【補正方法】変更
【補正の内容】
【００２８】
この第四発明によると、加圧部材は端子の上腕部にて回動案内される被案内部を備え、該被案内部は、加圧部材の開放時に上記端子の上腕部の内縁と接して案内されるように形成され、上記開放時における上腕部と対応下腕部との間隔を、加圧部材の閉位置におけるフレキシブル基板未挿入時の間隔よりも大とするように上腕部を弾性撓み変形させるようになっている。
さらには、第五発明によると、加圧部材は端子の上腕部にて回動案内される被案内部を備え、該被案内部は、加圧部材の開放時に上記端子の上腕部の内縁と接して案内されるように形成され、加圧部材は、上記被案内部の領域外にカム部を有し、該カム部のカム半径が最大位置或いは最大位置を経過して加圧部材が開放位置に位置している。